(57)【要約】【課題】商品の陳列は担保し、商品の盗難を防止し、且つ取り付けを容易にする陳列ケース構造及びその取付構造を提供すること。【解決手段】商品陳列ケースを上下に複数段に配置してなる商品陳列ケース構造であって、前記商品陳列ケースは、陳列ケース台及び陳列ケース取付台を有し、前記陳列ケース台は、前記陳列ケース取付台に対し前後方向に引き出し乃至収納可能であり、前記引き出し乃至収納を禁止する手段を有し、前記陳列ケース台上には、上下方向に立設する透明板により前後方向に区画される前方陳列領域及び後方陳列領域を有し、前記透明板の上端と、他の商品陳列ケースの底面との間の長さは、その間から指を入れて前記後方陳列領域の商品を取り出すことのできない長さである構成【選択図】図１
0003141313.tif 000002
【実用新案登録請求の範囲】
【請求項１】
商品陳列ケースを上下に複数段に配置してなる商品陳列ケース構造であって、
前記商品陳列ケースは、陳列ケース台及び陳列ケース取付台を有し、
前記陳列ケース台は、前記陳列ケース取付台に対し前後方向に引き出し乃至収納可能であり、
前記引き出し乃至収納を禁止する手段を有し、
前記陳列ケース台上には、上下方向に立設する透明板により前後方向に区画される前方陳列領域及び後方陳列領域を有し、
前記透明板の上端と、他の商品陳列ケースの底面との間の長さは、その間から指を入れて前記後方陳列領域の商品を取り出すことのできない長さであることを特徴とする商品陳列ケース構造。
【請求項２】
前記禁止する手段は、前記陳列ケース台の前面に設けられる鍵であることを特徴とする請求項１に記載の商品陳列ケース構造。
【請求項３】
前記商品陳列ケースの背面に設けられる係合溝と、フックが設けられる複数のブラケットと、複数の係止孔が設けられる少なくとも２本の支柱とを有し、前記フックは前記係止孔に係止され、前記係合溝と前記ブラケットとは移動可能な状態で嵌合されることを特徴とする請求項１または２に記載の商品陳列ケース構造の取付構造。
【請求項４】
前記ブラケットは断面Ｌ字状で、その一方の面には前記フックを有し、他方の面は前記係合溝に嵌合されることを特徴とする請求項３に記載の商品陳列ケース構造の取付構造。
【考案の詳細な説明】
【技術分野】
【０００１】
本願考案は、化粧品等の商品陳列ケース構造及びその取付構に関するものである。
【背景技術】
【０００２】
一般に、化粧品等の小物用の商品陳列ケースは、顧客の目線にあう高さに上下に複数段に並べ、各陳列ケース内に異なる商品を並べ、顧客が複数の商品を見やすいように工夫して陳列している。
【０００３】
そのような陳列ケースの一例を図７に示す。化粧品として例えば口紅、ファンデーション、マニキュア等、多種類の商品があり、陳列ケースに例えば各種類毎に分けて図に示す陳列ケース１に並べて上下に陳列される。
【０００４】
陳列ケース１は、商品を並べるケース台２を有し、ケース台２の底面にはその下の陳列ケース１の商品を照明するための蛍光管３が設けられる。また、ケース台２の背後には、複数の陳列ケース１を取り付けるための少なくとも２本の支柱４が立設され、支柱４には上下方向に複数の縦長の係止孔５が設けられる。
【０００５】
また、前記陳列ケース１の背面には、２本の支柱４の間隔に合わせて取り付け用のブラケット６がビス７により取り付けられている。そして、ブラケット６にはその先端に鉤状のフック６ａを有し、そのフック６ａを図に示すように支柱４の係止孔５に係止することにより各陳列ケース１は支柱４に沿って上下に取り付けられている。
【０００６】
このような陳列方法は、顧客により多くの商品を見てむらうことができるため他の商品の陳列をも含め広く採用されている（例えば、特許文献１参照）。
【０００７】
ところで、化粧品は小物が多く、また、高価のものが多くなっており、従来の陳列方法では顧客が商品を自由に手に取ることができる反面、例えば落として破損するとか、或いは盗難に遭う等の恐れがあった。
【０００８】
また、従来の陳列ケース１の取付構造は、２本の支柱４の間隔に合わせて取り付け用のブラケット６を陳列ケース１の背面にビス７により取り付けるものであったため、支柱４の間隔が異なる場合には再度陳列ケース１の背面にブラケット６を取り付ける必要があり、それだけ手間及び作業時間を要していた。
【特許文献１】特開２００３−１４４２７９
【考案の開示】
【考案が解決しようとする課題】
【０００９】
本願考案の目的は、上記の問題を解決することであり、商品の陳列は担保し、商品の盗難を防止し、且つ取り付けを容易にする陳列ケース構造及びその取付構造を提供することにある。
【課題を解決するための手段】
【００１０】
上記目的を達成するため、本願考案は以下の構成を採用する。
【００１１】
請求項１に係る考案は、商品陳列ケースを上下に複数段に配置してなる商品陳列ケース構造であって、前記商品陳列ケースは、陳列ケース台及び陳列ケース取付台を有し、前記陳列ケース台は、前記陳列ケース取付台に対し前後方向に引き出し乃至収納可能であり、前記引き出し乃至収納を禁止する手段を有し、前記陳列ケース台上には、上下方向に立設する透明板により前後方向に区画される前方陳列領域及び後方陳列領域を有し、前記透明板の上端と、他の商品陳列ケースの底面との間の長さは、その間から指を入れて前記後方陳列領域の商品を取り出すことのできない長さである構成。
【００１２】
請求項２に係る考案は、前記禁止する手段は、前記陳列ケース台の前面に設けられる鍵である構成。
【００１３】
請求項３に係る考案は、前記商品陳列ケースの背面に設けられる係合溝と、フックが設けられる複数のブラケットと、複数の係止孔が設けられる少なくとも２本の支柱とを有し、前記フックは前記係止孔に係止され、前記係合溝と前記ブラケットとは移動可能な状態で嵌合される構成。
【００１４】
請求項４に係る考案は、前記ブラケットは断面Ｌ字状で、その一方の面には前記フックを有し、他方の面は前記係合溝に嵌合される構成。
【考案の効果】
【００１５】
透明板により区画される前方陳列領域に例えば、商品の空瓶を置き、奥の後方陳列領域に実際の商品を置くことにより、商品の陳列は担保でき、また、引き出し乃至収納を禁止する手段、例えば鍵を設けることにより、商品の盗難を防止することができ、更に、支柱の間隔が多少異なったとしても商品陳列ケースの背面に設けられる係合溝と、ブラケットとの嵌合が移動可能なため、支柱への係合を簡単且つ容易に行うことができる。
【実施例】
【００１６】
以下図面を参照して本願考案の実施例について説明をする。図１に商品陳列ケースの全体断面図を示し、図２に１個の商品陳列ケースの拡大断面図を示し、図３に商品陳列ケースを引き出した状態の拡大断面図を示し、図４及び図５に陳列ケース台及び陳列ケース取付台の斜視図を示し、図６に商品陳列ケース構造を支柱に取り付ける前の状態を示す斜視図を示す。
【００１７】
陳列棚２０には複数個の陳列ケース２５が上下方向に複数個取り付けられる。陳列棚２０は、枠体を適宜組み合わせて形成され、上下方向には図６に示すような支柱２１が複数個設けられている。この支柱２１は、その中央に縦長で矩形状の係止孔２２が上下方向に複数個設けられており、後記のブラケット４６のフック４９が係合される。また、陳列棚２０の上下には、上部端板２３及び下部端板２４が設けられる。
【００１８】
上部端板２３とその下の陳列ケース２５の透明板２７との間、及び陳列ケース２５とその下の他の陳列ケース２５の透明板２７との間の隙間長さｈは、その間から指を入れて後方陳列領域Ｒの商品を取り出すことのできない長さｈにされる。このような長さｈにすることにより商品の盗難が防止できる。
【００１９】
陳列ケース２５の拡大断面図を図２に示す。陳列ケース２５は、陳列ケース台２６及び陳列ケース取付台３５を有する。陳列ケース台２６は、商品を陳列する樹脂製の台で、その上面の前方よりには矩形状の透明板２７が壁状に立設され、透明板２７により前方側に前方陳列領域Ｆを、後方側に後方陳列領域Ｒをそれぞれ形成する。
【００２０】
前記前方陳列領域Ｆには、例えば図２で示すＡ商品のような中身が空のダミー商品、或いは商品ケース等を陳列し、前記後方陳列領域Ｒには、Ｂ商品のように本物の商品を載台２８の上に載せ顧客から見やすいように陳列するとともに、ストック商品をＣ商品のように載台２８の下側に収納しておく。載台２８は取り外すことができ、例えば本物のＢ商品が高さの高いものであれば取り外してＢ商品を陳列する。
【００２１】
陳列ケース台２６の下方部には、第１滑車２９が取り付けられる。第１滑車２９は陳列ケース台２６の左右側面の下方後端部にそれぞれ１個ずつ回動自在に設けられており、陳列ケース取付台３５の滑車ガイド部材３９に沿って回動しながら移動する。また、陳列ケース台２６の下方前面部には、陳列ケース台２６の引き出し乃至収納を禁止する手段である鍵３０が設けられる。この鍵３０には、係止部材３１が連動し、施錠時には、この係止部材３１が 陳列ケース取付台３５の縦長穴４２に嵌合する。
【００２２】
前記陳列ケース取付台３５は、平面視コ字状のアルミ等の金属製部材である。陳列ケース取付台３５は、図５にその斜視図を示すように対向する２個の側板３６、３６と、２個の側板３６、３６を連結する背板３７と、補強板３８を有する。
【００２３】
２個の側板３６、３６のそれぞれは、その内側に、前後方向に亘って縦断面コ字状の滑車ガイド部材３９が複数のビス４０で取り付けられる。この滑車ガイド部材３９の対向側壁部３９ａ、３９ａは、上下に平行で、且つほぼ水平に延伸しており、対向側壁部３９ａ、３９ａの間で前記陳列ケース台２６の第１滑車２９をガイドする。その結果、陳列ケース台２６の第１滑車２９は、対向側壁部３９ａ、３９ａ間を回動しながら前後に移動する。
【００２４】
滑車ガイド部材３９の上側の側壁部３９ａの前方端は、切欠３９ｂが設けられており、陳列ケース取付台３５に陳列ケース台２６を取り付ける際には、この切欠３９ｂの箇所から陳列ケース台２６の第１滑車２９を挿入する。更に、滑車ガイド部材３９の前方端の内側には、第２滑車４１が回動自在に固定されており、図３に示すように陳列ケース取付台３５から陳列ケース台２６を引き出す際、陳列ケース台２６の第１滑車２９の前方側が第２滑車４１の後方側に当接した場合、陳列ケース台２６のそれ以上の引き出しは防止される。そのため、陳列ケース台２６を強く引き出したとしても陳列ケース台２６が完全に引き出されるという弊害が防止される。
【００２５】
陳列ケース取付台３５の２個の側板３６、３６の前方側のそれぞれには、縦長穴４２が設けられる。この縦長穴４２は、縦長で矩形状の溝で鍵３０の係止部材３１が嵌合し、鍵３０が掛けられた場合、この縦長穴４２に係止部材３１が嵌合し、陳列ケース取付台３５からの陳列ケース台２６の引き出しは防止される。
【００２６】
前記背板３７には、陳列ケース取付台３５を支柱２１に係止するための嵌合溝４４が設けられる。この嵌合溝４４は背板３７の外方に突き出た断面Ｌ字状で、且つ背板３７の左右方向の長さとほぼ同じ長さを有する係止片４３と、背板３７との間に形成される。また、前記補強板３８は、陳列ケース取付台３５後方に水平に取り付けられる平板状の金属製部材で、陳列ケース取付台３５の補強部材として機能する。
【００２７】
陳列ケース取付台３５は、上記の構造を有し、その前方側から陳列ケース台２６が収納される。その収納は、陳列ケース取付台３５の対向側壁部３９ａ、３９ａに設けられる切欠３９ｂから陳列ケース台２６の第１滑車２９を挿入し、第１滑車２９を滑車ガイド部材３９に沿わせて陳列ケース台２６を陳列ケース取付台３５に押し込むことにより行われる。陳列ケース台２６を引き出す場合には、その逆の手順により行われる。その引き出しは陳列ケース台２６の第１滑車２９の前方側が第２滑車４１の後方側に当接するまで行われる。陳列ケース台２６と陳列ケース取付台３５との組み合わせにより、商品陳列ケース構造が形成される。
【００２８】
次いで、商品陳列ケース構造の取付構造について説明する。前記陳列ケース取付台３５の背板３７に係止片４３により形成される嵌合溝４４がその一部になる。符号４６は取付構造の他の一部となるブラケットである。このブラケット４６は、平坦面４７及びフック形成面４８を有し、両面４７、４８が直角に連結されてなる断面Ｌ字状の金属製部材である。平坦面４７は陳列ケース取付台３５の嵌合溝４４に若干の隙間を有して長さＤの略半分以上挿入され、嵌合溝４４内で移動可能な状態にされる。そして、嵌合溝４４から出る長さは、２本の支柱２１、２１間の長さに応じて変わる。即ち、嵌合溝４４から出てもよい長さ分、２本の支柱２１、２１間の長さが変わってもブラケットを改めて取り付ける必要なく対応することができる。なお、この平坦面４７には補強のために凹凸を設けてもよい。
【００２９】
前記フック形成面４８には、複数個、例えば２個のフック４９、４９が上下に設けられる。このフック４９、４９は支柱２１に設けられる係止孔２２の間隔に合わせて設けられており、その係止孔２２に係止される。
【００３０】
陳列ケース２５の取り付けは次のように行われる。まず、支柱２１の係止孔２２、２２にブラケット４６のフック４９、４９を矢印（１）で示すように係止する。次いで、陳列ケース取付台３５の背板３７に形成される嵌合溝４４にブラケット４６の平坦面４７を矢印（２）で示すように嵌合する。すると２本の支柱２１、２１間の長さに応じてブラケット４６の平坦面４７は位置し、その位置で陳列ケース取付台３５を安定的に支持する。
【００３１】
本願考案は、上記実施例の構成に限定されるものではなく、考案の要旨を逸脱しない範囲において適宜設計変更可能であることは勿論である。
【図面の簡単な説明】
【００３２】
【図１】本願考案の商品陳列ケースの全体を示す要部断面図
【図２】本願考案の１個の商品陳列ケースの拡大断面図
【図３】本願考案の商品陳列ケースを引き出した状態の拡大断面図
【図４】本願考案の商品陳列ケースの陳列ケース台の斜視図
【図５】本願考案の商品陳列ケースの陳列ケース取付台の斜視図
【図６】本願考案の商品陳列ケース構造を支柱に取り付ける前の状態を示す概略斜視図
【図７】従来の商品陳列ケースの断面図
【符号の説明】
【００３３】
Ｆ…前方陳列領域          Ｒ…後方陳列領域
２０…陳列棚              ２１…支柱
２２…係止孔              ２３…上部端板
２４…下部端板            ２５…陳列ケース
２６…陳列ケース台        ２７…透明板
２８…載台                ２９…第１滑車
３０…鍵                  ３１…係止部材
３５…陳列ケース取付台    ３６…側板
３７…背板                ３８…補強板
３９…滑車ガイド部材      ３９ａ…側壁部
３９ｂ…切欠              ４０…ビス
４１…第２滑車            ４２…縦長穴
４３…係止片              ４４…嵌合溝
４６…ブラケット          ４７…平坦面
４８…フック形成面        ４９…フック
【図１】
0003141313.tif 000003
【図２】
0003141313.tif 000004
【図３】
0003141313.tif 000005
【図４】
0003141313.tif 000006
【図５】
0003141313.tif 000007
【図６】
0003141313.tif 000008
【図７】
0003141313.tif 000009